(57)【特許請求の範囲】
【請求項１】
片持ちタイプのエクステリア製品を展示品として設置するための支柱支持台であり、金属製で少なくとも展示品用支柱下端断面よりも広いベース版と、該ベース版上に固着された固定台座とにより構成されるものであって、該固定台座には展示品支柱内に納められる重錘が複数個積層状態で保持されるものであり、また該重錘は、該固定台座又は隣接する重錘と連結する杆材と、該杆材を固定或いは挿通させるための杆材挿通孔を有していると共に展示品用支柱下端近傍を固定するためのボルトを挿通させるためにボルト挿通孔が設けられているものであることを特徴とする展示品用支柱支持台。
【発明の詳細な説明】
【０００１】
【発明の属する技術分野】
本発明は、組立式カーポート、門扉、といったエクステリア製品を展示見本として屋内外に設置する際に、地面或いは床面に支柱を固定するために孔を開けたり、大がかりな作業を伴うことなく、こうした展示品の設置及び展示を可能とする支柱支持台の構造に関するものである。
【０００２】
【従来の技術】
販売促進の一手段として、商品展示場を設けここに実際の製品を展示することは、旧来より広く行われている。例えば車庫は、かつては建築作業者の手による完全現場施工物であったが近時、簡易な車庫として、壁材が殆ど又は全く存在せず、日覆い状の屋根パネルと、これを支持する支柱とから構成される「カーポート」と呼ばれる製品が多数見られる。これは、支柱を固定し得る基礎さえ工事できていれば、他は切削や溶接の必要のない簡単な組み立て作業のみで作業しえるものであり、また既製品化されているため上記展示によって販売促進の見込める商品となっている。
【０００３】
【発明が解決しようとする課題】
ところが、カーポートを例えば屋内の会場に展示する場合を想定してみると、これは恒久的に設置しておくものではないため基礎が実際のもののようには造ってはおけず、展示は極めて困難となる。即ち第一に、展示品の安定性が維持しにくいという点である。元来カーポートの支柱は通常は図５の如く、地中に造られた基礎（穴を堀り、底に栗石Ｘを敷いた後支柱Ｙを立て、コンクリートＺを打設するという手順で造られる基礎）に固定されることを前提に製造されており、こうした基礎に固定支持されていることによって初めて製品は「立っていられる」ことになる。例えば、片持ちタイプのカーポートではその傾向（基礎への依存性）は顕著で、このタイプのカーポートは支柱を支える基礎なしだと倒れてしまい易い。従って、完全な基礎を築造できない体育館等の床、或いは相当な費用を要する基礎築造を実際に施工し展示会終了後は元の状態に戻してしまえるだけのコストを掛けることができないような展示場においては、展示品を天井梁その他建物側からロープ等で吊持しこれを支えるか、或いは展示会場に模擬基礎を築き土（又はそれに代わるもの）を敷きつめるしかなかった。また敷地が与えられている場合には、大きな費用を投入して住宅展示場のように実際にカーポートを築造してしまう等によってしか対応できなかった。しかしいずれも問題が多く現実的には、カタログを見るだけで注文させるという販売形態が主流となっている。その場合商品が届いて初めて現物をみることになるわけであるが、当然ながらこのような販売形態は注文する側にとっては不安であるし、実際、カタログと現物とが異なるという消費者側の声に起因するトラブルも頻発している。
【０００４】
第二に、基礎が存在しない場合、展示品の組立作業が困難なものとなりやすい点が挙げられる。既成品としてのカーポートを例に挙げると、その組み立てに関しても予め基礎が存在し支柱は該基礎によって立設され組み立てることを前提として製作されていることがほとんどである。即ち、基礎を築造して支柱を立て、その支柱に屋根骨組み材を連結し、その屋根骨組み材に屋根材を展開固定する、といった方法である。従って基礎が存在せず堅固には支柱が立てられない状況下で組み立てをするとなると、作業そのものが面倒になることも多いし、危険を伴うこととなったり、大きな力を要することにもなる。
【０００５】
【課題を解決するための手段】
そこで本発明者は、上記諸点に鑑み長年鋭意研究の結果遂に本発明を成したものでありその特徴とするところは、金属製で少なくとも展示品用支柱下端断面よりも広いベース版と、該ベース版上に固着された固定台座とにより構成されるものであって、該固定台座には重錘が複数個積層状態で保持されるものであり、また該重錘は、該固定台座又は隣接する重錘と連結する杆材を固定或いは挿通させるための杆材挿通孔を有していると共に展示品用支柱下端近傍を固定するためのボルトを挿通させるためにボルト挿通孔が設けられている点にある。
【０００６】
なおここで「展示」とは、製品・作品を並べて一般の人々に見せることを意味しており、「展示品」はそうした場に出された製品・作品類を指す。本発明の場合展示品は、具体的には、上述したカーポートと呼ばれる組立式簡易車庫、門扉や自動ドア、住宅用フェンス、等々要するに「支柱」によって支持される形式のエクステリア組立構造物全般が相当し、その支柱の材質については、鉄材、アルミニウム材、木材、等々種類を問わず採用可能である。更に、例えばカーポートを展示する際に、建物の壁体の一部を模造してこれを展示品近傍に設置し、臨場感を演出するようなことがあるかも知れないが、本発明支持台はそのような模造品に対して適用することも可能である。またこれらの展示品は恒久使用が目的ではなく、移動撤去が前提となっている。そのため設置・移動・撤去が簡便であることが望ましく、それが本発明に代表される展示品支持設備に求められる機能であると言える。
【０００７】
そして本発明の最大の特徴は、この展示品を倒れることがないように固定すると共に、展示品設置のための組立作業に際して、支柱を床に寝かした状態ではなく自立させた状態で行なうことができるようにしたものであると言うこともできる。
【０００８】
本発明において採用されるベース版は、展示品が倒れるのを阻止できるだけの剛性と長さを有している必要がある。最も採用される可能性が大きいのは厚さ２〜１０ｍｍ程度の鋼板であるが、アルミニウムその他の金属を採用しても良いものである。また、展示品が倒れるのを阻止できる長さ、については展示品の種類や大きさによってまちまちであるので具体的な長さに限定はしない。例えば組立カーポートの場合でも、支柱が一側にのみ設けられる「片側支持タイプ」の場合には非常に倒れやすいので十分な長さが必要であるが、「両側支持タイプ」は安定性が高いのでさして長いものである必要はない。しかし、展示中に誤って支柱に人がぶつかる可能性もあるし、子供がいたずらして屋根パネルその他にぶら下がるようなことがあっても大丈夫なだけの安定性は有していなければならない。そこで、ある程度は長さが確保できるような広さのものであるのが好ましい。しかし、際限なく長くすることはデザイン上の問題もあるので、状況に応じて適宜決定すべき事項である。
【０００９】
また本発明においては、「重錘」の存在が必須要件となっている。これはベース版の必要長さを小さくすること、或いは安定性をより高くすることに貢献する部材である。基本的に「重錘」は、本発明に係る展示品用支持台に展示品を固定した際に該展示品が倒れようとする時の回動運動の中心を支点とする「力のモーメント」を考えた場合、そのモーメントを大きくするための重量物である。単体であると取り扱いが容易ではなくなるので、本発明においては重錘は、ブロック状のものを積層するという方式を採用する。個々の重錘の重量については限定しないが、数ｋｇ程度のものが好ましいと思われる。また重錘は、上記した基本的な機能以外に、展示品の支柱を本発明支持台に保持固定させるという機能も有している。「重錘」それ自体は、単体ではなく複数個を積層できるようにしたものである。但し、自立や安定に必要な重量は展示品の構造や大きさによってまちまちであるので、最小の場合は１個の重錘が設置されるということもあり得る。そして当然積層に適した構造となっているわけであるが、本発明においては更に、隣り合う重錘同士が相互に連結されるような構造的特徴を持っている。即ち、重錘は上下に貫通するいくつかの孔を有しており、この孔に杆材を適宜装着し、装着することでできる凸部と、装着していないことでできる凹部とを嵌合固定するという形で行なう。採用される杆材として本発明者は、建築用アンカーボルトを代用したが、勿論専用品を製作しても良いものである。また凸部が複数個あって個々がしっかりと嵌まる場合には、必ずしも上下方向の固定は強固に行なう必要はない。また重錘の平面視形状（水平断面形状）は、設置される展示品の支柱の形状にほぼ添うものであるので、支柱の断面形状が正方形の時と円形の時とでは重錘の形状は通常は異なるということになる。
また展示品支柱は、「ボルト」によって本発明支持台に固定される。このボルトは通常は水平方向に挿通されナットによって固定されるが、その際重錘を水平方向に貫通することになるので、そのための「ボルト挿通孔」が予め刻設されている。
【００１０】
「固定台座」は、展示品の支柱を固定すると共に重錘使用の場合にはこれを設置しておくための部材であり、ベース版上に設けられる。本発明に係る展示品用支柱支持台は、体育館等を会場とする場合にも使用できるものであるので、ベース版の下面は平坦であることが好ましい。そこで通常は溶接固定することになるが、その他の方法でも良く限定はしない。また、この固定台座は必ずしもベース版上の中央位置に設置されていなければならないわけではなく、転倒する方向が限定される場合にはその転倒方向に長さを確保できるように設置位置をずらしておくと好適なものとなる。また固定台座には重錘が積層され、展示品の支柱は重錘を覆うようにして設置されるので、結果として重錘は隠されることに美観上の問題が軽減されることになる。
【００１１】
【発明の実施の形態】
以下図面に基づいて本発明を更に詳細に説明する。
【００１２】
図１は本発明に係る展示品用支柱支持台１（以下「本発明支持台１」という）の一例を示すものであり、図より明らかなように本発明支持台１は、ベース版２と、該ベース版２上に固定される固定台座３、及び該固定台座３に着脱自在に設けることのできる複数個のブロック形の重錘５とにより構成される。ベース版２は鋼板であり、その中央部分に固定台座３が溶接されている。本例の固定台座３は、平面視矩形状のものであり、上下方向に六つの孔３１が設けられ、その中の三つの孔からはそれぞれ杆材３２が突出している。この杆材３２は、本例の場合市販されているアンカーボルトを使用し、固定台座３の底面側から上方に嵌め込まれている。
【００１３】
図２は、重錘５の構造を示すものである。重錘５にも固定台座３と全く同様に六つの孔５１が設けられており、固定台座３から突出している三本の杆材３２はこの孔５１に納まることになる。該杆材３２が嵌まり込んでいない孔５１（三つ）には、それぞれ杆材５２が装着され重錘５の上面から突出することになる。固定台座３に設けられた杆材を杆材３２と呼び、重錘５に設けられた杆材を杆材５２と呼んでいるが、機能・構造上の差異はなく、杆材５２も、杆材３２と同様アンカーボルトを使用しており全く同一のものである。このようにして六つの孔の中の、三つは下に位置する固定台座３又は重錘５から突出した杆材を受け入れ、残る三つは上に位置する重錘５の孔をめざして杆材を突出させる、ということを繰り返して固定されることになる。なお下から突出してきた杆材（３２又は５２）は、ナットによって固定するようにしても良いが、孔５１の大きさが杆材をきっちりと嵌め込むことができるものであれば省略し得る可能性はある（図示せず）。或いは、孔５１をネジ孔、杆材５２をネジとし、これを上方から下方に向けてネジ締めするようにしても良い（図３）。図示した二例及び図示しなかった一例、或いは説明していない他の例のいずれを選択するかは、展示品の構造や設置の形態その他の状況に応じて適宜決定すれば良い。
また重錘５には、水平方向にボルト挿通孔５３が刻設されている。この孔５３は、重錘５を上下方向に貫く孔５１と交錯しないように設けられたものであり、本例では二条設けられている。機能については後述する。
【００１４】
図４は、展示状態の一例を示す概略斜視図である。固定台座３に複数個の重錘５を既述した方法で装填し、この重錘５を覆うようにして展示品の支柱Ｐを被せて該支柱Ｐを本発明支持台１に固定する。固定は、支柱Ｐに刻設されたボルト孔７に、ボルト６１を挿通させナット６２によって留めるという方法で行なう。その際内部に納まっている重錘５が邪魔になってボルト６１が通せなくなるという事態を避けるため、すべての重錘５には水平方向にボルト挿通孔５３が、ボルト孔７と合致する位置に設けられている。従ってボルト留めすると、支柱Ｐと重錘５とが固定されることになり、また重錘５は固定台座３に、固定台座３はベース版２に固定されているので、結局支柱支持の役目を果たすことができる。
【００１５】
なお鋼板は錆びやすいので、各種防錆処理を施すと良い。更に赤色・黄色等の目立つ塗料を塗布すればつまづいて怪我をする危険性も小さくなるし、ベース版２に関しては、芝生模様や石畳模様等に彩色すれば美麗なものとなり好適である（図示せず）。
【００１６】
更に本発明支持台１は、体育館等のフロアに床面を傷つけないように展示し得るものではあるが、そうした機能は有したまま、屋外に展示する際の改良を施しても良い。図示はしないがそのための構造の一例として、例えば地中にボルト孔が存在するように構造物を埋設しておき、本発明支持台１に貫通孔を設けそこから該ボルト孔にボルト留めする等の方法で固定する方法がある。この構造物は埋設したまま撤去しないことを基本としている。展示場所が、舗装された屋外駐車場などであってボルト孔が露出したままであることが好ましくない場合には、この舗装面に合うように蓋体を付けておけば支障なく何度も使用できる。さらに、そのような地中構造物を使用することで、半年であるとか１年であるとかといった短期の据え付けの際には図５の如き基礎を省略することが容易になる。
【００１７】
【発明の効果】
以上詳細に説明した通り本発明に係る展示品用支柱支持台は、金属製で少なくとも展示品用支柱下端断面よりも広いベース版と、該ベース版上に固着された固定台座とにより構成されるものであって、該固定台座には重錘が複数個積層状態で保持されるものであり、また該重錘は、該固定台座又は隣接する重錘と連結する杆材を固定或いは挿通させるための杆材挿通孔を有していると共に展示品用支柱下端近傍を固定するためのボルトを挿通させるためにボルト挿通孔が設けられていることを特徴とするものであり、以下述べる如き種々の効果を有する極めて高度な発明である。
【００１８】
（１）  展示品用の支柱下端が、これよりも広いベース版に支持されているために、転倒する際の回転軸（支点）が支柱位置から遠くなり、倒れにくくなる。
（２）  重錘を使用しているので倒れにくさはより大きくなる。
（３）  固定のための構造物が、床等に不必要であり、また支持台裏面に突出せざるを得ない部材がないので、例えば体育館などに展示することも比較的容易である。
【図面の簡単な説明】
【図１】本発明に係る展示品用支柱支持台の一例を示す概略斜視図である。
【図２】重錘５の一例の構造を示す概略斜視図である。
【図３】重錘５の他の例を示す概略斜視図である。
【図４】展示状態の一例を示す概略斜視図である。
【図５】従来の基礎の一例を示す概略断面図である。
【符号の説明】
１    本発明に係る展示品用支柱支持台
２    ベース版
３    固定台座
３１  孔
３２  杆材
５    重錘
５１  孔
５２  杆材
５３  ボルト挿通孔
６１  ボルト
６２  ナット
７    ボルト孔
Ｐ    支柱
Ｘ    栗石
Ｙ    支柱
Ｚ    コンクリート
【図１】
0004034045.tif 000002
【図２】
0004034045.tif 000003
【図３】
0004034045.tif 000004
【図４】
0004034045.tif 000005
【図５】
0004034045.tif 000006